(57)【要約】【課題】複数のバイタルセンサからの測定データを高効率に収集する。【解決手段】ウェアラブルデバイス１０は、受信データ格納部１８、無線通信部１２、データ識別部１３、およびデータ入出力部１９を有する。受信データ格納部１８は、バイタルデータを格納する。無線通信部１２は、外部接続されるバイタルセンサが測定した測定データを無線通信などによってバイタルデータとして取り込む。データ識別部１３は、取り込んだバイタルデータをデータ格納部に格納する。データ入出力部１９は、外部接続された電子端末との通信を行い、受信データ格納部１８に格納されたバイタルデータを電子端末に送信する。【選択図】図１
2015126804.tif 000002
【特許請求の範囲】
【請求項１】
バイタルデータを格納するデータ格納部と、
外部接続されるバイタルセンサが測定した測定データを前記バイタルデータとして取り込み、取り込んだ前記バイタルデータを前記データ格納部に格納するデータ処理部と、
外部接続された電子端末との通信を行い、前記データ格納部に格納された前記バイタルデータを前記電子端末に送信するデータ通信部と、
を有する、ウェアラブルデバイス。
【請求項２】
請求項１記載のウェアラブルデバイスにおいて、
さらに、装着者の活動量を測定する活動量測定部を有し、
前記データ処理部は、前記活動量測定部が測定した前記活動量を、前記バイタルデータとして取り込み、前記データ格納部に格納する、ウェアラブルデバイス。
【請求項３】
請求項２記載のウェアラブルデバイスにおいて、
さらに、前記バイタルデータに測定時刻を付加する時計部を有し、
前記時計部は、前記データ処理部が前記バイタルデータを取り込んだ際の時刻を測定時刻として付加し、
前記データ処理部は、測定時刻が付加された前記バイタルデータをデータ格納部に格納する、ウェアラブルデバイス。
【請求項４】
請求項２記載のウェアラブルデバイスにおいて、
さらに、前記バイタルデータの種別毎に、データ補正が必要であるか否かを示す補正情報が格納される補正情報格納部と、
前記バイタルデータを補正する補正データが格納された補正用データ格納部と、
を有し、
前記データ処理部は、前記バイタルデータを取り込んだ際に、前記補正情報格納部を参照し、補正が必要なバイタルデータであると判定した際に、前記補正用データ格納部に格納された補正データに基づいて、前記バイタルデータを補正する、ウェアラブルデバイス。
【請求項５】
請求項２記載のウェアラブルデバイスにおいて、
さらに、前記バイタルデータの種別毎に、前記電子端末が通信回線を介して送信する送信先アドレスを格納するアドレス格納部を有し、
前記データ処理部は、前記バイタルデータを取り込んだ際に、前記アドレス格納部を検索し、取り込んだ前記バイタルデータを送信する送信先アドレスを取得し、前記バイタルデータに取得した前記送信先アドレスを付加した前記バイタルデータを前記データ格納部に格納する、ウェアラブルデバイス。
【請求項６】
外部接続されるバイタルセンサが測定した測定データをバイタルデータとして収集するデータ処理部と、データを格納するデータ格納部と、外部接続される電子端末にデータを送信するデータ通信部とを有するウェアラブルデバイスによるデータ収集方法であって、
前記データ処理部において、外部接続される前記バイタルセンサが測定した測定データを前記バイタルデータとして取り込み、取り込んだ前記バイタルデータを前記データ格納部に格納するステップと、
前記データ通信部において、前記データ格納部に格納された前記バイタルデータを、前記電子端末に送信するステップと、
を有する、データ収集方法。
【請求項７】
請求項６記載のデータ収集方法において、
さらに、前記バイタルデータを格納するステップは、前記バイタルセンサから前記バイタルデータを取り込む際に、前記バイタルデータを取り込んだ際の時刻を測定時刻として前記バイタルデータに付加するステップを有する、データ収集方法。
【請求項８】
請求項６記載のデータ収集方法において、
さらに、前記バイタルデータを格納するステップは、
前記バイタルセンサから取り込んだ前記バイタルデータの種別毎に、データ補正が必要であるか否かを判定するステップと、
データ補正が必要であると判定した際に、補正データに基づいて、取り込んだ前記バイタルデータを補正するステップと、
を有する、データ収集方法。
【請求項９】
請求項６記載のデータ収集方法において、
さらに、前記バイタルデータを格納するステップは、前記バイタルセンサから取り込んだ前記バイタルデータの種別毎に、前記バイタルデータの送信先を示す送信先アドレスを、前記バイタルデータに付加するステップを有する、データ収集方法。
【発明の詳細な説明】
【技術分野】
【０００１】
本発明は、ウェアラブルデバイスおよびデータ収集方法に関し、特に、無線通信によるバイタルデータの収集および管理に有効な技術に関する。
【背景技術】
【０００２】
近年、ＩＴ（Information Technology）を活用した健康管理のニーズが上々に高まっており、無線機能を搭載したバイタルセンサが商品化されている。この種のバイタルセンサとして、例えばウェアラブルデバイス（Wearable Device）、体重計、あるいは血圧計などが知られている。
【０００３】
ウェアラブルデバイスは、例えば腕時計型のデバイスからなり、身体に装着して装着者の活動量などのバイタルデータを測定する。測定したバイタルデータは、インターネット上に接続されているサーバなどに送信される。サーバは、送信されたバイタルデータに基づいて装着者の健康状態などを解析する。
【０００４】
なお，この種のウェアラブルデバイスとしては、例えば装置を装着しているユーザの活動を検出し、ユーザの活動レベルを指示するコントローラを有するものが知られている（例えば特許文献１参照）。
【先行技術文献】
【特許文献】
【０００５】
【特許文献１】特開２０１３−１４６５５７号公報
【発明の概要】
【発明が解決しようとする課題】
【０００６】
バイタルセンサが測定したバイタルデータをサーバに送信する際には、バイタルセンサが測定したバイタルデータを無線通信によって、スマートフォンやパーソナルコンピュータなどの電子端末に一旦送信する。ここで、バイタルデータの無線送信は、例えばBluetooth（登録商標）などの近距離無線通信が用いられる。そして、ウェアラブルデバイスからバイタルデータを受け取った電子端末は、インターネット回線を介してバイタルデータをサーバに送信している。
【０００７】
よって、複数のバイタルセンサを使用している場合、バイタルセンサと電子端末との通信を確立させて該電子端末が受信可能な状態とする作業がバイタルセンサ毎に必要となる。そのため、作業が煩雑となり、運用上の不便さが生じてしまうことになる。
【０００８】
本発明の目的は、複数のバイタルセンサからの測定データを高効率に収集することのできる技術を提供することにある。
【０００９】
本発明の前記ならびにその他の目的と新規な特徴については、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的なものの概要は、ウェアラブルデバイスに適用され、以下のような特徴を有するものである。
【００１２】
ウェアラブルデバイスは、データ格納部、データ処理部、およびデータ通信部を有する。データ格納部は、バイタルデータを格納する。データ処理部は、外部接続されるバイタルセンサが測定した測定データをバイタルデータとして取り込み、取り込んだバイタルデータをデータ格納部に格納する。データ通信部は、外部接続された電子端末との通信を行い、データ格納部に格納されたバイタルデータを電子端末に送信する。
【００１３】
また、本発明は、バイタルセンサが測定したバイタルデータを収集し、収集したバイタルデータを一括して電子端末などに送信するウェアラブルデバイスによる方法にも適用することができる。
【発明の効果】
【００１４】
本願において開示される発明のうち、代表的なものによって得られる効果を簡単に説明すれば以下のとおりである。
【００１５】
バイタルデータ収集における利便性を向上させることができる。
【図面の簡単な説明】
【００１６】
【図１】一実施の形態によるウェアラブルデバイスにおける構成の一例を示す説明図である。
【図２】図１のウェアラブルデバイスによるデータ通信の一例を示した説明図である。
【図３】図１のウェアラブルデバイスにおける動作の一例を示すフローチャートである。
【発明を実施するための形態】
【００１７】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００１８】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１９】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２０】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２１】
また、実施の形態を説明するための全図において、同一の部材には原則として同一の符号を付し、その繰り返しの説明は省略する。なお、図面をわかりやすくするために平面図であってもハッチングを付す場合がある。
【００２２】
以下、本発明の一実施形態を、図面を用いて詳細に説明する。
【００２３】
〈ウェアラブルデバイスの構成例〉
図１は、一実施の形態によるウェアラブルデバイス１０における構成の一例を示す説明図である。
【００２４】
ウェアラブルデバイス１０は、図１に示すように、活動量測定部１１、無線通信部１２、データ識別部１３、識別ＩＤテーブル格納部１４、時刻同期部１５、データ補正部１６、補正用データ格納部１７、受信データ格納部１８、およびデータ入出力部１９を有する。
【００２５】
活動量測定部１１は、ウェアラブルデバイス１０の装着者における活動量を測定する。データ処理部を構成する無線通信部１２は、図示しないバイタルセンサとの無線通信を行う。無線通信は、例えばBluetooth（ブルートゥース）などの近距離無線通信である。また、ウェアラブルデバイス１０との無線通信行うバイタルセンサは、例えば体重計、血圧計、血糖値測定器、あるいはパルスオキシメータなどである。パルスオキシメータは、例えば動脈血酸素飽和度と脈拍数などを測定する。
【００２６】
データ処理部を構成するデータ識別部１３は、識別ＩＤテーブル格納部１４を検索し、無線通信部１２が受信したバイタルデータを識別する。補正情報格納部およびアドレス格納部となる識別ＩＤテーブル格納部１４は、識別ＩＤデータが格納されている。
【００２７】
識別ＩＤデータは、プロファイルデータ、種別データ、アドレスデータ、および補正フラグなどからなる。これら測定者のプロファイルデータ、種別データ、アドレスデータ、および補正フラグは、デバイスＩＤに紐付けられている。
【００２８】
デバイスＩＤは、個々のバイタルセンサに付与された識別番号である。また、プロファイルデータは、測定者のプロファイルを示すデータである。種別データは、バイタルデータを測定したバイタルセンサの種別である。アドレスデータは、バイタルデータの送信先アドレスである。補正情報である補正フラグは、受信したバイタルデータに補正処理が必要か否かを判定するフラグである。
【００２９】
時計部となる時刻同期部１５は、無線通信部１２がバイタルデータを受信した際に、ウェアラブルデバイス１０に接続される図２に示す電子端末４０が有する現在時刻と同期させ、該バイタルデータの受信時刻として付与する。ここで、電子端末４０は、スマートフォンやパーソナルコンピュータなどである。
【００３０】
データ処理部を構成するデータ補正部１６は、補正用データ格納部１７に格納された補正データを参照し、バイタルデータを補正する。データ通信部となるデータ入出力部１９は、電子端末４０と接続され、該電子端末４０とのデータのやり取りを行う。
【００３１】
ウェアラブルデバイス１０と電子端末４０との接続は、バイタルセンサと同様に、無線通信によって行わる。無線通信は、例えばBluetoothなどの近距離無線通信、あるいは無線ＬＡＮ（Local Area Network）などの無線ネットワークなどであってもよい。
【００３２】
〈データ通信例〉
図２は、図１のウェアラブルデバイス１０によるデータ通信の一例を示した説明図である。この図２では、バイタルセンサとして、ウェアラブルデバイス１０、体重計３０、および血圧計３１を用いる例について示している。
【００３３】
ウェアラブルデバイス１０は、図示するように、体重計３０および血圧計３１と無線通信によって接続される。また、ウェアラブルデバイス１０は、電子端末４０にも無線通信によって接続される。
【００３４】
電子端末４０は、インターネット回線４１に接続されており、該インターネット回線４１には、体重計サーバ４２、血圧計サーバ４３、および活動量サーバ４４がそれぞれ接続されている。
【００３５】
体重計サーバ４２は、体重計３０が測定した体重データを蓄積する。血圧計サーバ４３は、血圧計サーバ４３が測定した血圧データを蓄積する。活動量サーバ４４は、ウェアラブルデバイス１０が測定した活動量を蓄積する。
【００３６】
続いて、バイタルセンサが測定したバイタルデータの流れについて説明する。
【００３７】
体重計３０が測定した体重データおよび血圧計３１が測定した血圧データは、無線通信によって接続されたウェアラブルデバイス１０にそれぞれ送信される。ウェアラブルデバイス１０は、体重データおよび血圧データを受信した際に前述した識別ＩＤを付与して格納する。また、ウェアラブルデバイス１０は、活動量を測定し、その測定した活動量データにも識別ＩＤを付与して格納する。
【００３８】
続いて、ウェアラブルデバイス１０が電子端末４０と無線通信によって接続されると、該ウェアラブルデバイス１０において格納されている活動量データ、体重データ、および血圧データをそれぞれ電子端末４０に送信する。
【００３９】
電子端末４０は、活動量データ、体重データ、および血圧データにそれぞれ付与されている識別ＩＤに基づいて送信先のアドレスを決定し、体重データを体重計サーバ４２に、血圧データを血圧計サーバ４３に、そして活動量データを活動量サーバ４４がそれぞれ送信する。
【００４０】
〈ウェアラブルデバイスの動作例〉
続いて、ウェアラブルデバイス１０の動作について、図１〜図３を用いて説明する。
【００４１】
図３は、図１のウェアラブルデバイス１０における動作の一例を示すフローチャートである。
【００４２】
まず、ウェアラブルデバイス１０において、無線通信部１２が、他のバイタルセンサが測定したバイタルデータを受信する（ステップＳ１０１）。具体的には、無線通信部１２が、体重計３０から送信された体重データを受信する。
【００４３】
この無線通信には、前述したようにBluetoothなどの無線通信が用いられる。また、体重データを送信する際、体重計３０は、測定した体重データに、測定したバイタルセンサが体重計であることを示すデバイスＩＤを付与して送信する。
【００４４】
続いて、無線通信部１２が受信した体重データに、現在時刻を付加する時刻同期が行われる（ステップＳ１０２）。この時刻同期は、無線通信部１２が受信した体重データをデータ識別部１３に出力した際に、時刻同期部１５が、ウェアラブルデバイス１０と無線通信されている電子端末４０から現在時刻を取り込み、取り込んだ現在時刻を測定時刻としてデータ識別部１３に出力された体重データに付加する。
【００４５】
このように、受信したデータを電子端末４０の時刻に同期させて測定時刻とすることにより、高精度に測定時刻を管理することができる。
【００４６】
続いて、データ識別部１３は、データ識別を行う（ステップＳ１０３）。このデータ識別において、データ識別部１３は、体重データに付加されているデバイスＩＤに基づいて、識別ＩＤテーブル格納部１４を検索し、該識別ＩＤテーブル格納部１４から、プロファイルデータ、種別データ、送信先アドレス、および補正フラグの有無をそれぞれ取得する。
【００４７】
体重データの場合には、種別データは体重計３０であることを示すデータとなり、送信先アドレスは、体重計サーバ４２にアクセスするアドレスとなる。
【００４８】
その後、データ識別部１３は、ステップＳ１０３の処理において取得したプロファイルデータ、種別データ、送信先アドレス、および補正フラグの有無を、受信したバイタルデータに付加してデータ補正部１６に出力する。
【００４９】
データ識別部１３からのデータを受け取ると、データ補正部１６は、データ補正が必要であるか否かを判断する（ステップＳ１０４）。このステップＳ１０４の処理において、データ補正部１６は、入力されたバイタルデータに補正フラグがあるか否かを確認し、補正フラグがある場合には、データ補正が必要であると判定する。また、補正フラグがない場合には、データ補正が不要であると判定する。
【００５０】
データ補正が必要であると判定すると、データ補正部１６は、種別データに基づいて、補正用データ格納部１７を検索し、該当する補正データを取得し、該補正データに基づいて、バイタルデータを補正する（ステップＳ１０５）。
【００５１】
体重計３０によって体重を計測する際、衣服を着たまま体重計測を行うと、実際の体重よりも大きい値となってしまう。そこで、いつも衣服を着たまま体重計測を行う場合には、補正データとして衣服分の重量を設定し、補正用データ格納部１７に設定する。
【００５２】
この補正データは、例えば、ウェアラブルデバイス１０と電子端末４０とが無線通信よって接続された際に、電子端末４０から補正データを入力する。電子端末４０から入力された補正データは、データ入出力部１９を介して補正用データ格納部１７に格納される。
【００５３】
例えば体重データの補正値として、「−０．５ｋｇ」と設定した場合、体重計３０から送信された体重データが６０ｋｇであると、データ補正部１６による補正後の体重データは、５９．５ｋｇとなる。このように、バイタルセンサから送信されたバイタルデータを補正するので、バイタルデータの精度を向上させることができる。
【００５４】
続いて、ステップＳ１０５の処理において補正された体重データ、あるいはステップＳ１０４の処理において補正フラグがない体重データは、データ格納部となる受信データ格納部１８に格納される。このとき、体重データに付加されたプロファイルデータ、種別データ、送信先アドレス、および補正フラグも格納される。
【００５５】
ここでは、主に体重データについて説明しているが、血圧計３１が測定する血圧データについても、同様に、ステップＳ１０１〜Ｓ１０５の処理が行われた後、血圧データ、種別データ、送信先アドレス、および補正フラグが受信データ格納部１８に格納される。
【００５６】
活動量測定部１１が測定した活動量データについても同様であるが、該活動量測定部１１は、ウェアラブルデバイス１０に備えられているので、測定データの送信は不要である。そのため、ステップＳ１０２〜Ｓ１０５の処理が行われた後、活動量データ、種別データ、送信先アドレス、および補正フラグが受信データ格納部１８に格納される。
【００５７】
その後、データ入出力部１９は、受信データ格納部１８に格納された測定データを取りだし、一括して電子端末４０に送信する（ステップＳ１０６）。これによって、１回の通信によって、すべてのバイタルデータを電子端末４０に送信することができる。電子端末４０は、入力された測定データをインターネット回線４１を介して送信する。
【００５８】
例えば体重データの場合、電子端末４０は、体重データに付加された送信先アドレスに基づいて、体重計サーバ４２にアクセスし、該体重計サーバ４２に体重データを送信する。体重計サーバ４２では、体重データに付加されているプロファイルデータに基づいて、体重データを管理する。
【００５９】
血圧データの場合には、血圧データに付加された送信先アドレスに基づいて血圧計サーバ４３にアクセスし、該血圧計サーバ４３に血圧データを送信する。同様に、活動量データの場合には、活動量データに付加された送信先アドレスに基づいて活動量サーバ４４にアクセスし、該活動量サーバ４４に活動量データを送信する。
【００６０】
なお、送信先アドレスの情報は、識別ＩＤテーブル格納部１４に格納するのではなく、例えば電子端末４０の図示しないデータ格納部などのメモリ部に格納するようにしてもよい。
【００６１】
この場合、ウェアラブルデバイス１０からは、例えば体重データであると、体重データに付加された種別データが電子端末４０に送信される。電子端末４０は、体重データに付加された種別データから、電子端末４０が有するメモリ部を検索し、受信した体重データの送信先アドレスを取得する。
【００６２】
その後、電子端末４０は、取得した送信先アドレスに基づいて、体重計サーバ４２にアクセスし、体重データを該体重計サーバ４２に格納する処理を実行する。
【００６３】
以上により、異なる複数のバイタルセンサが測定したバイタルデータを一括して、各種サーバに送信することができる。それにより、バイタルセンサ毎に個別にデータ送信する作業を不要とすることができ、利便性を向上させることができる。
【００６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６５】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【００６６】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【００６７】
１０  ウェアラブルデバイス
１１  活動量測定部
１２  無線通信部
１３  データ識別部
１４  識別ＩＤテーブル格納部
１５  時刻同期部
１６  データ補正部
１７  補正用データ格納部
１８  受信データ格納部
１９  データ入出力部
３０  体重計
３１  血圧計
４０  電子端末
４１  インターネット回線
４２  体重計サーバ
４３  血圧計サーバ
４４  活動量サーバ
【図１】
2015126804.tif 000003
【図２】
2015126804.tif 000004
【図３】
2015126804.tif 000005